(57)【特許請求の範囲】
【請求項１】
押し操作可能な押ボタンを有する操作部と、この操作部に連結された接点ユニットとからなり、前記押ボタンの押し操作により前記接点ユニットの接点が切り換えられるとともに、前記操作部が、前記押ボタンの押し操作方向と直交する向きに出入り自在に設けられ、かつ突出方向にばね付勢されたロックピンと、前記ロックピンと交差するように前記押ボタンの捻回範囲に渡って設けられ、前記ロックピンと係合する係合面が形成された円弧状のロックフランジと、前記押ボタンの押し操作及び捻回操作に対してそれぞれ復帰力を与える弾性部材とからなり、前記押ボタンがロック解除状態から押し操作されると、前記ロックピンが前記ロックフランジと係合して押込み状態にロックされ、このロック状態から前記押ボタンが捻回操作され、次いで引張操作されると、前記ロックピンの係合が外れて前記押ボタンのロックが解除されるロック機構を備えた押ボタンスイッチにおいて、
前記弾性部材が捻りコイルばねからなり、前記ロックフランジの係合面が前記押ボタンの中心軸と直交する一端側の直交面と、この直交面に対して傾斜し、かつ、前記押ボタンの引張方向に沿って傾斜する他端側の傾斜面とを備え、前記押ボタンがロック解除状態から押し操作されると、前記ロックピンが前記ロックフランジを乗り越え、前記直交面と係合して前記押ボタンが押込み状態にロックされ、このロック状態から前記押ボタンが捻回操作され、次いで引張操作されると、前記ロックピンが前記ロックフランジの傾斜面を滑って前記ロックフランジを逆に乗り越えて、前記押ボタンのロックが解除されることを特徴とする押ボタンスイッチ。
【発明の詳細な説明】
【０００１】
【発明の属する技術分野】
この発明は、主として非常停止用に用いられるロック式の押ボタンスイッチに関する。
【０００２】
【従来の技術】
この種の押ボタンスイッチは、一般に押し操作可能な押ボタンを有する操作部と、この操作部に連結された接点ユニットとからなり、非常時には押ボタンの押し操作により接点ユニットの接点が切り換えられ、同時に押ボタンが押込み状態にロックされるが、ロックされた押ボタンのロック解除操作として、押ボタンを捻回するターンリセット方式と、押ボタンを引張り上げるプルリセット方式とがある。ところが、このような押ボタンスイッチは、誤って押ボタンに手が触れたり、衣服が引っ掛かったりした場合に、押ボタンが知らずに動いてロックが解除され、接点が切り換えられて機器が元の状態に復帰し、危険状態が再発する可能性があった。そのため、従来は図１３に示すように、パネル１に取り付けられた押ボタンスイッチ２の周りにガードリング３を設け、押ボタン４との誤接触を防止している。
【０００３】
【発明が解決しようとする課題】
しかし、押ボタンスイッチ２は押ボタン４を捻回したり引張ったりしてロック解除操作を行なうため、ガードリング３で押ボタン４が覆われているとロック解除の操作性が低下する。また、非常時に押ボタン４を緊急操作する際にも押し難く、操作が間に合わず大事故になる可能性があった。更に、ガードリング３の追加により、パネル１への取付けピッチが大きくなり、またコストアップとなっていた。
【０００４】
そこで、この発明の課題は、ガードリングなどの付属部品を設けることなく、押ボタンスイッチの誤接触によるロック解除を防止することにある。
【０００５】
【課題を解決するための手段】
上記課題を解決するために、この発明は、押し操作可能な押ボタンを有する操作部と、この操作部に連結された接点ユニットとからなり、前記押ボタンの押し操作により前記接点ユニットの接点が切り換えられるとともに、前記操作部が、前記押ボタンの押し操作方向と直交する向きに出入り自在に設けられ、かつ突出方向にばね付勢されたロックピンと、前記ロックピンと交差するように前記押ボタンの捻回範囲に渡って設けられ、前記ロックピンと係合する係合面が形成された円弧状のロックフランジと、前記押ボタンの押し操作及び捻回操作に対してそれぞれ復帰力を与える弾性部材とからなり、前記押ボタンがロック解除状態から押し操作されると、前記ロックピンが前記ロックフランジと係合して押込み状態にロックされ、このロック状態から前記押ボタンが捻回操作され、次いで引張操作されると、前記ロックピンの係合が外れて前記押ボタンのロックが解除されるロック機構を備えた押ボタンスイッチにおいて、
前記弾性部材が捻りコイルばねからなり、前記ロックフランジの係合面が前記押ボタンの中心軸と直交する一端側の直交面と、この直交面に対して傾斜し、かつ、前記押ボタンの引張方向に沿って傾斜する他端側の傾斜面とを備え、前記押ボタンがロック解除状態から押し操作されると、前記ロックピンが前記ロックフランジを乗り越え、前記直交面と係合して前記押ボタンが押込み状態にロックされ、このロック状態から前記押ボタンが捻回操作され、次いで引張操作されると、前記ロックピンが前記ロックフランジの傾斜面を滑って前記ロックフランジを逆に乗り越えて、前記押ボタンのロックが解除されるようにするものである（請求項１）。
この請求項１によれば、ロック解除には押ボタンの複数の操作を要することから、誤接触があっても押ボタンは容易にはロック解除されない。
【０００６】
【発明の実施の形態】
以下、図１〜図１２に基づいて、捻回操作と引張操作の２つの押ボタン操作の組合せによりロック解除される押ボタンスイッチについてのこの発明の実施の形態を説明する。まず、図１はパネル１に取り付けられた押ボタンスイッチ２の外観を示す斜視図、図２は押ボタンスイッチ２の要部の分解斜視図、図３は押ボタンスイッチ１の平面図、図４は図３のIV−IV線に沿う断面図である。図１〜図において、押ボタン４に回転筒５が裏側から挿入され、その頭部のねじ部５ａにグローブ６が前方からねじ合わされて一体に結合されている。押ボタン４と結合された回転筒５には、捻りコイルばね７が嵌め込まれ、回転筒５はこの捻りコイルばね７とともに、フレーム８の円筒部８ａに回動及び前後動可能に挿入されている。
【０００７】
捻りコイルばね７は押ボタン４の押し操作及び捻回操作に対してそれぞれ復帰力を与える弾性部材で、その両端にはフック７ａが折り曲げ形成されている。ここで、図５は回転筒５の側面図、図６はフレーム８の縦断面図で、図５及び図６に示すように、回転筒５の側面には係止穴５ｂが、またフレーム８の内側には係止凹部８ｂが設けられている。そこで、捻りコイルばね７の両端のフック７ａは、係止穴５ｂ及び係止凹部８ｂにそれぞれ係合され、回転筒５は捻りコイルばね７を介してフレーム８に連結されている。押棒９は円筒部９ａの頭部に係合爪９ｂを有し、円筒部９ａに圧縮コイルばねからなるバックスプリング１０が嵌め込まれた押棒９は、フレーム８の円筒部８ａに裏側から挿入され、係合爪９ｂを介して回転筒５に係合するとともに、外周２箇所の突条９ｃが回転筒５のスリット５ｃに滑動可能の嵌合している。この状態で円筒部９ａと一体の下部フランジ９ｄは、フレーム８の円筒部８ａと一体の箱状のハウジング８ｃの内側面に突き当たっている。押ボタン４と押棒９とは回転筒５を介して一体に捻回操作されるが、捻回範囲（いまの場合は６０度）は、押棒９とフレーム８の図示しないストッパ間で規制されている。
【０００８】
押棒９の下部フランジ９ｄには左右一対の方形の突部９ｅが設けられ、この突部９ｅに押ボタン４の押し操作方向（図４の下方向）と直交する向きに穴９ｆが設けられている。そして、この穴９ｆにロック部材としてのロックピン１１が圧縮コイルばね１２とともに出入り自在に挿入され、ロックピン１１は圧縮コイルばね１２により突出方向に付勢されている。押棒９が挿入されたフレーム８のハウジング８ｃには、左右一対のコ字状のロック板１３が相対するように収容され、このロック板１３は両側面に突出する爪１３ａがハウジング８ｃの側壁に係合して固定されている。ハウジング８ｃの裏面開口は、ベース１４（図４）で閉塞されている。なお、ベース１４の円筒部１４ａには照光用の図示しないＬＥＤが収容され、押ボタン４はこのＬＥＤによりグローブ６を通して照光される。フレーム８には、接点ユニット１５が連結される。この接点ユニット１５は側面３箇所の爪１５ａがハウジング８ｃの側壁に係合して固定され、その状態で操作棒１５ｂが押棒９の下部フランジ９ｄに対向する。
【０００９】
ロック板１３には、係合部材としての円弧状のロックフランジ１３ｂが設けられている。ロックフランジ１３ｂは、ロックピン１１と交差するように押ボタン４の捻回範囲に渡って設けられ、図４のロック解除状態においてロックピン１１と相対する面（図４の上面）と反対側の面（同下面）に、ロックピン１１と係合する係合面が形成されている。ここで、図７はロック板１３の下面図、図８は図７のVIII−VIII線に沿う断面図、図９は同じくIX−IX線に沿う断面図である。７において、ロック状態でロックピン１１は位置（１）にあり、押ボタン４を図３の矢印方向に所定角度（いまの場合は６０度）捻回した状態では位置（２）にある。
【００１０】
ロックフランジ１３ｂの係合面（下面）は、図８及び図９に示すように、押ボタン４の中心軸と直交する直交面Ａと、この直交面Ａに対して傾斜する傾斜面Ｂとからなり、直交面Ａは図７において、ロックフランジ１３ｂの図７の上端から位置（２）の手前までの範囲ａに形成され、傾斜面Ｂは直交面Ａの終端から図７の下端までの範囲ｂに、直交面Ａに連続しながら次第に傾斜角度が増加するように形成されている。この傾斜角度の増加は位置（２）の直前で完了し、その後は図９に示す角度で一定に推移している。ロックフランジ１３ｂの上面は、全長に渡って傾斜面Ｃに形成され、その傾斜角度は後述するロックピン１１の滑動が容易なように傾斜面Ｂよりも大きくなっている。この押ボタンスイッチ２は、グローブ６を緩めて押ボタン４を外した状態でフレーム８の円筒部８ａをパネル１の取付穴に背面から差し込み、締付リング１６（図４）をフレーム８のねじ部８ｄ（図２）にねじ込んで固定する。１７（図４）は、パネル厚調整用のパッキンである。
【００１１】
図１０〜図１２は図４のＰ部の拡大図で、図１０はロック解除状態（リセット状態）、図１１は図１０の状態から押ボタン４を押し下げた状態、図１２は図１１の状態から押ボタン４を捻回した状態をそれぞれ示している。図４の状態から押ボタン４を押すと、回転筒５は捻りコイルばね７及びバックスプリング１０を圧縮しながら前進し、やがて押棒９に突き当たる。押ボタン４を更に押し込むと押棒９も一緒に前進し、ロックピン１１はロックフランジ１３ｂの上面の傾斜面Ｃを滑って後退しながら、ロックフランジ１３ｂを乗り越える。また、押ボタン４はフレーム８の端面に突き当たって停止する。図１１はロックピン１１がロックフランジ１３ｂを乗り越えた状態を示し、この状態で押ボタン４から手を離せば、押ボタン４及び押棒９は捻りコイルばね７の復帰力により回転筒５を介して持ち上げられ、ロックピン１１がロックフランジ１３ｂの下面の直交面Ａ（図８）に係合する。この状態では押ボタン４を引張っても、ロックピン１１と直交面Ａとの係合は強固でロック解除はできない。また、この状態では接点ユニット１５は操作棒１５ｂが押し込まれ、接点が切り換えられている。
【００１２】
押ボタン４のロックを解除するには、まず図３の矢印方向に押ボタン４を捻りコイルばね７に抗して６０度捻回する。この捻回により、ロックピン１１はロックフランジ１３ｂの傾斜面Ｂに対面するようになる。図１２は、この捻回状態を示している。そこで、図１２の状態から押ボタン４を引張り上げると、ロックピン１１は傾斜面Ｂを滑って後退し、ロックフランジ１３ｂを下から上に乗り越える。そこで、押ボタン４から手を離せば、押ボタン４及び押棒９は捻りコイルばね７の復帰力で旋回し、図４のロック解除状態に復帰する。これにより、接点ユニット１５の接点も操作前の状態に復帰する。これに対して、押ボタン４の捻回途中、あるいは図１２の状態で押ボタン４から手を離すと、捻りコイルばね７の復帰力によりロックがかかったまま、図１１の状態に戻る。
【００１３】
上に述べたように、傾斜面Ｂは押ボタン４を所定の力で引張れば、ロックピン１１を後退させるが、捻りコイルばね７のばね力だけではロックピン１１を後退させることはできず、押ボタン４はロック状態に保持される。すなわち、ロック状態から押ボタン４を捻回しただけではロック解除は行なわれず、従って誤接触により押ボタン４が捻回されることがあっても、それのみではロック解除、つまり接点の切換が行なわれることがない。なお、図示実施の形態では、可動側（押棒側）にロックピンを設け、固定側（フレーム側）にロックフランジを設けた例を示したが、これらを逆の関係に設けることも可能である。
【００１４】
【発明の効果】
以上の通り、この発明によれば、押ボタンのロックを複数の押ボタン操作の組合せで解除するようにしたことにより、押ボタンに対する誤接触があっても、それによる押ボタンの動きが複数の押ボタン操作の一部分であればロック解除は行われない。従って、単一の押ボタン操作によりロック解除が行なわれる従来の押ボタンスイッチに比べて、誤接触によるロック解除事故が確実に減少する。また、複数の押ボタン操作は意図的に行なわなければ遂行できないので、不注意による誤操作も減少する。その一方で、ガードリングなどの付属部品が不要なので、操作の妨げがなく、取付スペースが小さくて済み、コストも抑えられる。
【図面の簡単な説明】
【図１】  この発明の実施の形態を示す押ボタンスイッチのパネルに取り付けた状態の斜視図である。
【図２】  図１の押ボタンスイッチの分解斜視図である。
【図３】  図１の押ボタンスイッチの平面図である。
【図４】  図３のIV−IV線に沿う断面図である。
【図５】  図２における回転筒の側面図である。
【図６】  図２におけるフレームの縦断面図である。
【図７】  図２におけるロック板の上面図である。
【図８】  図７のVIII−VIII線に沿う断面図である。
【図９】  図７のIX−IX線に沿う断面図である。
【図１０】  図４のＰ部の拡大図である。
【図１１】  図１０から押し操作した状態を示す図である。
【図１２】  図１１から捻回操作した状態を示す図である。
【図１３】  従来の押ボタンスイッチのパネルに取り付けた状態を示す斜視図である。
【符号の説明】
１    パネル
２    押ボタンスイッチ
４    押ボタン
５    回転筒
６    グローブ
７    捻りコイルばね
８    フレーム
９    押棒
１０    バックスプリング
１１    ロックピン
１２    圧縮コイルスプリング
１３    ロック板
１３ｂ  ロックフランジ
１４    ベース
１５    接点ユニット
１６    締付リング
Ａ    直交面
Ｂ    傾斜面
【図１】
0004148495.tif 000002
【図２】
0004148495.tif 000003
【図３】
0004148495.tif 000004
【図４】
0004148495.tif 000005
【図５】
0004148495.tif 000006
【図６】
0004148495.tif 000007
【図７】
0004148495.tif 000008
【図８】
0004148495.tif 000009
【図９】
0004148495.tif 000010
【図１０】
0004148495.tif 000011
【図１１】
0004148495.tif 000012
【図１２】
0004148495.tif 000013
【図１３】
0004148495.tif 000014